(57)【要約】      （修正有）【課題】半田付けする際、電子回路基板の固定のし忘れを防止し、各箇所を一箇所づつ固定しなければならないという、手間を解消するレバー操作式同時可動電子回路基板押え具を提供する。【解決手段】載置面で基板を受け固定する際に、スプリングの伸縮性を利用したレバー操作により３辺を同時に固定するための、載置面の３辺を囲うように基板と当接する押え具を設置するとともに、設置した押え具をステンレス製のレールで連接し、３辺のレールのうち２辺と連接しているレールの端にスプリングと反対側にレバーを取り付け基板の受け板に固定した。【選択図】図１
0003152106.tif 000002
【実用新案登録請求の範囲】
【請求項１】
電子回路基板を受ける板に彫ったくぼみの一辺に止め具を取り付け固定する。他三辺を囲うようにステンレス製のレールを設け、そのレール上の数箇所に電子回路基板と当接する押え具を取り付け、止め具を取り付け固定した一辺と対照する辺に設けたＬ字形のレールの先端にスプリング留め具とスプリングを備え、そのスプリングを電子回路基板の受け板に固定する。また、そのレールのＬ字形の部位にレバーを取り付け、電子回路基板を受ける板に上部が丸みを帯びたレバー誘導部品と、を備えたレバー操作式同時可動形電子回路基板押え具。
【考案の詳細な説明】
【技術分野】
【０００１】  本考案は、電子回路基板をディップ装置と呼ばれる自動半田付装置を用いて電子部品の半田付け作業に使用するレバー操作式同時可動形電子回路基板押え具に関する。
【背景技術】
【０００２】  従来では、電子回路基板の受け板に電子回路基板に合わせくぼみを彫り、そのくぼみに合わせ電子回路基板をはめ込み半田付けする際に、電子回路基板の受け板に彫ったくぼみの周り数箇所に、電子回路基板と当接する押え具を取り付け、電子回路基板を固定していた。
【考案の開示】
【考案が解決しようとする課題】
【０００３】  しかし、これでは、固定のし忘れや各箇所を一箇所づつ固定しなければならないため、手間が掛かり不便である。
【課題を解決するための手段】
【０００４】  そこで、電子回路基板を受ける板に彫ったくぼみの一辺に止め具を取り付け固定する。他三辺を囲うようにステンレス製のレールを設け、そのレール上の数箇所に電子回路基板と当接する押え具取り付け、止め具を取り付け固定した一辺と対照する辺に設けたＬ字形のレールの先端にスプリング留め具とスプリングを備え、そのスプリングを電子回路基板の受け板に固定する。また、そのレールのＬ字形の部位にレバーを取り付け、電子回路基板を受ける板に上部が丸みを帯びたレバー誘導部品と、を備えたレバー操作式同時可動電子回路基板押え具を考案した。このレバー操作式同時可動形電子回路基板押え具より、三辺が同時に可動するため、ワンタッチで電子回路基板を押えることができる。
【考案の効果】
【０００５】  よって、本考案のレバー操作式同時可動形電子回路基板押え具により、電子回路基板を固定するとき、固定のし忘れがなくなる。また、ワンタッチのレバー操作で三辺が同時に可動し固定することができるため、電子回路基板を電子回路基板の受け板に彫ったくぼみにはめ込み固定するまでの所要時間の短縮が可能となる。またレバーはスプリングの反動を利用して可動するため、レバー操作が力を使わず容易に行なうことができる。
【考案を実施するための最良の形態】
【０００６】  本考案に係るレバー操作式同時可動形電子回路基板押え具２０は、図１が示すように、電子回路基板の受け板１に電子回路基板に合わせたくぼみ２を彫り、そのくぼみ２の電子回路基板の受け板１の一辺に止め具３を取り付け固定する。他三辺を囲うようにステンレス製のレール４とＬ字形のレール５をレール接続部品６で繋ぎ、それぞれのレール上の数箇所と電子回路基板を受ける板１に電子回路基板と当接する押え具７を、図２が示すように取り付ける。電子回路基板と当接する押え具７の形状は電子回路基板Ｄや電子回路基板を受ける板１の形や大きさに合わせ変えてもよい。また図３が示すように、止め具３を取り付け固定した一辺と対照する辺に設けたＬ字形のレール５の先端にスプリング留め具８とスプリング９を備え、そのスプリング９を電子回路基板の受け板に固定する。また、そのレール５のＬ字形の部位にレバー１０を取り付け、図４が示すように、電子回路基板を受ける板に上部が丸みを帯びたレバー誘導部品１１を固定する。尚、電子回路基板の受け板１に止め具３や電子回路基板と当接する押え具７、スプリング９、レバー誘導部品１１を取り付ける際のビスやナット等の取り付け部品は固定目的のため形状や大きさはそれぞれの部品に合わせ変えてよい。またＬ字形のレール５に取り付けるレバー１０についても同様である。
【図面の簡単な説明】
【０００７】
【図１】本考案の係るレバー操作式同時可動形電子回路基板押え具を電子回路基板の受け板で使用した状態の平面図である。
【図２】本考案の係る電子回路基板の受け板に電子回路基板と当接する押え具を取り付けた状態の断面図である。
【図３】本考案の係る電子回路基板の受け板にＬ字形のレールを取り付けた状態の断面図である。
【図４】本考案の係る電子回路基板の受け板にレバー誘導部品を取り付けた状態の断面図である。
【図５】従来の電子回路基板押え具の平面図である。
【符号の説明】
【０００８】  １    電子回路基板の受け板
２    電子回路基板に合わせたくぼみ
３    止め具
４    レール
５    Ｌ字形のレール
６    レール接続部品
７    電子回路基板と当接する押え具
８    スプリング留め具
９    スプリング
１０    レバー
１１    レバー誘導部品
２０    レバー操作式同時可動形電子回路基板押え具
Ｄ    電子回路基板
【図１】
0003152106.tif 000003
【図２】
0003152106.tif 000004
【図３】
0003152106.tif 000005
【図４】
0003152106.tif 000006
【図５】
0003152106.tif 000007
【手続補正書】
【提出日】平成20年11月13日(2008.11.13)
【手続補正１】
【補正対象書類名】実用新案登録請求の範囲
【補正対象項目名】請求項１
【補正方法】変更
【補正の内容】
【請求項１】
電子回路基板を受ける耐熱樹脂製基板搬送用の板に彫ったくぼみの三辺を囲うように電子回路基板と当接する押え具とレバー、スプリング留め具とスプリングを取り付けたステンレス製のレールと、を備えたレバー操作式同時可動形電子回路基板押え具。
【手続補正書】
【提出日】平成21年2月2日(2009.2.2)
【手続補正１】
【補正対象書類名】実用新案登録請求の範囲
【補正対象項目名】全文
【補正方法】変更
【補正の内容】
【実用新案登録請求の範囲】
【請求項１】
載置面で基板を受け固定する際に、スプリングの伸縮性を利用したレバー操作により３辺を同時に固定するための、載置面の３辺を囲うように基板と当接する押え具を設置するとともに、設置した押え具をステンレス製のレールで連接したレバー操作式同時可動形電子回路基板押え具。
【手続補正書】
【提出日】平成21年4月21日(2009.4.21)
【手続補正１】
【補正対象書類名】実用新案登録請求の範囲
【補正対象項目名】全文
【補正方法】変更
【補正の内容】
【実用新案登録請求の範囲】
【請求項１】
載置面で基板を受け固定する際に、スプリングの伸縮性を利用したレバー操作により３辺を同時に固定するための、載置面の３辺を囲うように基板と当接する押え具を設置するとともに、設置した押え具をステンレス製のレールで連接し、３辺のレールのうち２辺と連接しているレールの端にスプリングと反対側にレバーを取り付け基板の受け板に固定したレバー操作式同時可動形電子回路基板押え具。